(57)【要約】【課題】組み付け工数及び部品コストを削減するとともに耐衝撃性に優れた自動販売機の照明装置を提供する。【解決手段】自動販売機の照明装置１０において、幅方向に延びる略長箱状の光透過性のユニット本体２００と、ユニット本体２００内に配置され下方に向かって発光するＬＥＤ３０１素子が設けられた照明基板３００とを備え、前記ユニット本体２００の後面には、背面板３２に形成された第１係止孔３３を通過して該背面板３２の裏面側において前記第１係止孔３３の下方に向かって延びるように形成された第１係止片２３０と、前記第１係止片２３０との間に背面板３２を挟むように形成された第２係止片２８０とが、ユニット本体２００と一体に形成されている。【選択図】図７
2015022576.tif 000002
【特許請求の範囲】
【請求項１】
自動販売機の照明対象室内に配置された照明対象物を照明する自動販売機の照明装置において、
照明対象室の幅方向に延びる略長箱状の光透過性のユニット本体と、
ユニット本体内に配置され下方に向かって発光するＬＥＤ（Light Emitting Diode）素子が設けられた照明基板とを備え、
照明対象室後方の壁をその裏面側から係止する第１係止片と、照明対象室後方の表面側から前記第１係止片との間に前記壁を挟むようにして係止する第２係止片とを有し、前記第１係止片及び第２係止片はユニット本体と一体に形成されている
ことを特徴とする自動販売機の照明装置。
【請求項２】
前記第１係止片は、照明対象室後方の壁に形成された第１係止孔を通過して該壁の裏面側において前記第１係止孔の下方に向かって延びるように形成されている
ことを特徴とする請求項１記載の自動販売機の照明装置。
【請求項３】
前記第２係止片の後面には、前記第１係止孔の下方の壁に形成された第２係止孔に係合する係合突起が形成されている
ことを特徴とする請求項２記載の自動販売機の照明装置。
【請求項４】
前記第１係止片には、前記第２係止片との間で壁を挟む位置よりも上方において該壁の前面と当接する当接片が形成されている
ことを特徴とする請求項２又は３記載の自動販売機の照明装置。
【請求項５】
前記ユニット本体は、上下に分割された上側ユニット本体と下側ユニット本体とからなり、前記第１係止片は上側ユニットと一体に形成され、前記第２係止片は下側ユニットと一体に形成されている
ことを特徴とする請求項１乃至４何れか１項記載の自動販売機の照明装置。
【請求項６】
前記ユニット本体の後面の上部には、照明基板からユニット本体の外部に引き出されたケーブルに取り付けられたコネクタの上側を覆うように後方に延びるコネクタカバーがユニット本体と一体に形成され、前記ユニット本体の後面の下部には、前記コネクタ又はケーブルを支持するように後方に延びるコネクタ支持片がユニット本体と一体に形成されている
ことを特徴とする請求項１乃至５何れか１項記載の自動販売機の照明装置。
【請求項７】
前記ユニット本体の底面後部にはＬＥＤからの光を散乱させる帯状の散乱部が照明対象室の幅方向に形成されている
ことを特徴とする請求項１乃至６何れか１項記載の自動販売機の照明装置。
【請求項８】
請求項１乃至７何れか１項記載の自動販売機の照明装置が配設された自動販売機。
【発明の詳細な説明】
【技術分野】
【０００１】
本発明は、例えば紙パック、缶、ビン、ペットボトル入りの商品を販売する自動販売機の照明装置に関する。
【背景技術】
【０００２】
一般に、この種の自動販売機としては、前面を開口した自動販売機本体と、自動販売機本体の前面を開閉する外扉と、外扉の前面に設けられた商品サンプル室とを備え、商品サンプル室内に複数の商品サンプルを上下複数列に配置し、商品サンプル室内を蛍光灯によって照明するようにしたものが知られている。しかしながら、蛍光灯を用いたものでは、寿命に達した蛍光灯を定期的に交換しなければならず、メンテナンスの負担が大きいという問題がある。そこで、短期間で交換する必要のないＬＥＤ（Light Emitting Diode）素子を光源として用いるようにした自動販売機の照明装置が提案されている（例えば、特許文献１参照）。
【０００３】
特許文献１に記載の照明装置は、商品サンプル室の幅方向に延びる略長箱状の光透過性のユニット本体と、ユニット本体内に配置され外部に向かって発光するＬＥＤ素子が設けられた照明基板とを備えている。照明装置はサンプル室において商品サンプルの上方または下方に互いに幅方向に並べて複数配置されるとともに、互いに横方向に隣り合う照明装置の照明基板同士は通電用のケーブルを介して互いに接続される。該照明装置はサンプル室後方の壁に、複数のステー部材により着脱自在に固定される。該ステー部材は壁に取り付けるための取付片と、該取付片から前方に延びて上面に照明装置を支持する支持片と、該支持片の前後に形成され照明装置の前端及び後端と着脱自在に係合する係合部材とを備えている。該ステー部材は、取付片をサンプル室後方の壁にネジ止めすることにより固定される。
【先行技術文献】
【特許文献】
【０００４】
【特許文献１】特開２００９−２１１３９９号公報
【発明の概要】
【発明が解決しようとする課題】
【０００５】
しかし特許文献１に記載のものではステー部材をサンプル室後方の壁にネジ止めする構造となっているため、自動販売機の製造時において組み付け工数が多いという問題があるとともに、部品点数が多いため低コスト化が困難であるという問題があった。また照明装置をステー部材に着脱自在に係合させているので、組み付け時や運搬時などにおいて強い衝撃が加わった際には、照明装置がステー部材から外れてしまう場合があるという問題もあった。
【０００６】
前者の問題を解決するために、ステー部材の組み付け構造を改良したものが知られている。改良されたステー部材の取付にあたっては、商品サンプル室後方の壁に角穴状の第１係止孔及び第１係止孔の下方に位置する丸穴状の第２係止孔を形成しておく。ステー部材の取付片の後部には、上方に延びたあと下方に延びるように屈曲して形成された断面略逆Ｕ字状の支持片が形成されている。係止片の先端部付近の前面側には、前記壁の第２係止孔と係合する係合突起が前方に向かって形成されている。また取付片の上部には、前記壁の前面と当接する当接片が形成されている。このような改良されたステー部材では、係止片の先端から壁の第１係止孔から差し込み、係止片先端部の係合突起を壁の裏側から第２係止孔に係合させ、屈曲して形成された係止片の間に壁を挟むようにして着脱自在に固定される。このとき当接片はステー部材の前部が上方に回動することを防止している。
【０００７】
このように改良されたステー部材ではネジ止め作業が不要になることから、組み付け工数の削減には大きく寄与するものである。しかしながら依然として、複数のステー部材の取り付け作業とステー部材への照明装置の取り付け作業は必要であるため、更なる組み付け工数の削減が求められていた。また、ステー部材は依然として用いられるので、部品コストの削減には至らなかった。一方、ステー部材の壁への取り付け構造と、照明装置のステー部材への取り付け構造の双方がネジ等を使わずに部材の係合でのみ行っているため、前述の特許文献１に記載のものよりも耐衝撃性に欠けるという問題があった。
【０００８】
本発明は、上記事情に鑑みてなされたものであり、その目的とするところは、組み付け工数及び部品コストを削減するとともに耐衝撃性に優れた自動販売機の照明装置を提供することにある。
【課題を解決するための手段】
【０００９】
上記目的を達成するために、本願発明は、自動販売機の照明対象室内に配置された照明対象物を照明する自動販売機の照明装置において、照明対象室の幅方向に延びる略長箱状の光透過性のユニット本体と、ユニット本体内に配置され下方に向かって発光するＬＥＤ（Light Emitting Diode）素子が設けられた照明基板とを備え、照明対象室後方の壁をその裏面側から係止する第１係止片と、照明対象室後方の表面側から前記第１係止片との間に前記壁を挟むようにして係止する第２係止片とを有し、前記第１係止片及び第２係止片はユニット本体と一体に形成されていることを特徴とする。
【００１０】
本発明によれば、照明対象室後方の壁に取り付けるための第１係止片及び第２係止片をユニット本体と一体に形成したので、自動販売機の製造時における組み付け工数を大きく削減できるととともに部品コストを削減することができる。また、本発明によれば、第１係止片及び第２係止片をユニット本体と一体に形成したので、従来のものと比較して係合箇所が少なくなるので耐衝撃性が向上する。ところで、ユニット本体は照明対象室の幅方向に延びる略長箱状をなしているため、複数組の第１係止片及び第２係止片をユニット本体に形成することが一般的な形態であると考えられる。このような形態の場合、第１係止片及び第２係止片による係合位置がユニット本体により規制されるので、耐衝撃性がより向上する。なお、本発明において照明対象室の典型例としては、商品サンプルを展示する商品サンプル室が挙げられるが、広告を展示する広告表示室など他の形態に係る照明対象室も本発明に含まれる点に留意されたい。
【００１１】
本発明の好適な態様に係る照明装置は、前記第１係止片は、照明対象室後方の壁に形成された第１係止孔を通過して該壁の裏面側において前記第１係止孔の下方に向かって延びるように形成されていることを特徴とする。また、本発明の好適な他の態様に係る照明装置は、前記第２係止片の後面には、前記第１係止孔の下方の壁に形成された第２係止孔に係合する係合突起が形成されていることを特徴とする。本発明によれば、照明装置の壁への固定がより確実なものとなる。
【００１２】
また、本発明の好適な他の態様に係る照明装置は、前記第１係止片には、前記第２係止片との間で壁を挟む位置よりも上方において該壁の前面と当接する当接片が形成されていることを特徴とする。本発明によれば、当接片により、照明装置の前部が上方に回動することを防止できる。
【００１３】
さらに、本発明の好適な他の態様に係る照明装置は、前記ユニット本体は、上下に分割された上側ユニット本体と下側ユニット本体とからなり、前記第１係止片は上側ユニットと一体に形成され、前記第２係止片は下側ユニットと一体に形成されていることを特徴とする。前述のように、第１係止片と第２係止片とで壁を挟むため、第１係止片と第２係止片は互いに接近した複雑な構造となっている。本発明では、ユニット本体を上下に分割し、上側ユニット本体に第１係止片を形成し、下側ユニット本体に第２係止片を形成していることから、各ユニット本体はそれぞれ比較的単純な構造とすることができる。これにより安価な製造手法を採用することができるので、低コスト化を図ることができる。
【００１４】
さらに、本発明の好適な他の態様に係る照明装置は、前記ユニット本体の後面の上部には、照明基板からユニット本体の外部に引き出されたケーブルに取り付けられたコネクタの上側を覆うように後方に延びるコネクタカバーがユニット本体と一体に形成され、前記ユニット本体の後面の下部には、前記コネクタ又はケーブルを支持するように後方に延びるコネクタ支持片がユニット本体と一体に形成されていることを特徴とする。この種の照明装置は、例えば雨天時の商品サンプルの交換作業などを考慮して防滴性が求められる。本発明では、コネクタカバーにより防滴性を確保できるので、コネクタをユニット本体の外部に配置することができる。また、この種の照明装置ではユニット本体内部がＬＥＤの発熱により高温になるため、コネクタをユニット本体内に配置する場合にはケーブルとして耐熱性能が高いものが求められる。しかし耐熱性能が高いケーブルは径が太いため取り回しが困難であり、また高価であるという問題がある。一方、本発明では、コネクタをユニット本体の外部に配置することができるので、安価で取り回しの容易な径の細いケーブルを用いることができる。
【００１５】
さらに、本発明の好適な他の態様に係る照明装置は、前記コネクタ支持片は複数の分割支持片からなり、何れか１つの分割支持片は前記第２係止片と一体に形成されていることを特徴とする。本発明によれば、複数の分割支持片の隙間からコネクタやケーブルを操作することができるので、組み付け作業が容易となる。
【００１６】
さらに、本発明の好適な他の態様に係る照明装置は、前記ユニット本体の底面後部にはＬＥＤからの光を散乱させる帯状の散乱部が照明対象室の幅方向に形成されていることを特徴とする。この種の照明装置では、ユニット本体内の形状や構造等によりＬＥＤの光が乱反射して商品照明対象室後方の壁に特定形状（典型的には線状）の影のようなものが生じる場合がある。本発明では、照明装置から壁方向に向かう光を散乱させているので、前述の影のようなものの発生を軽減することができる。
【発明の効果】
【００１７】
以上説明したように本発明に係る自動販売機の照明装置によれば、組み付け工数及び部品コストを削減できるとともに耐衝撃性を向上させることができる。
【図面の簡単な説明】
【００１８】
【図１】本発明の照明装置が備わる自動販売機の全体斜視図
【図２】自動販売機の要部分解斜視図
【図３】照明装置の分解斜視図
【図４】上側ユニット本体の要部斜視図
【図５】上側ユニット本体の要部斜視図
【図６】下側ユニット本体の要部斜視図
【図７】照明装置の取付構造を説明する断面図
【発明を実施するための形態】
【００１９】
本発明の一実施の形態に係る自動販売機の照明装置について図面を参照して説明する。図１は本発明の照明装置が備わる自動販売機の全体斜視図、図２はその要部分解斜視図、図３は照明装置の分解斜視図、図４及び図５は上側ユニット本体の要部斜視図、図６は下側ユニット本体の要部斜視図、図７は照明装置の取付構造を説明する断面図である。
【００２０】
自動販売機は、図１に示すように、前面を開口した自動販売機本体１０と、自動販売機本体１０の前面を開閉する外扉２０と、外扉２０の前面に設けられた商品サンプル室３０とを備える。商品サンプル室３０内には照明対象物としての多数の商品サンプル４０が設けられている。また、外扉２０の前面には広告表示室５０が設けられている。
【００２１】
自動販売機本体１０は内部に断熱性の商品収納庫（図示せず）を備え、商品収納庫内にはサーペンタイン式等の商品コラム（図示せず）が設けられている。
【００２２】
外扉２０は幅方向一端を自動販売機本体１０に回動自在に支持され、その前面には、複数の商品選択スイッチ２１、硬貨投入口２２、紙幣投入口２３、金額表示部２４、硬貨返却口２５及び商品取出口２６が設けられている。
【００２３】
商品サンプル室３０は、図１及び図２に示すように、商品サンプル室３０の前面を覆う透明板３１と、商品サンプル室３０の背面を覆う背面板３２と、背面板３２に取付けられた上下複数段のサンプル台３５とを有する。各サンプル台３５には複数の商品サンプル４０が左右複数列になるように載置されている。サンプル台３５は下面を開口するように断面略コ字状に屈曲した部材からなり、その上面には商品サンプル４０を取付けるための取付孔３６が設けられている。
【００２４】
商品サンプル４０は下面を開口した中空状の光透過性部材からなり、その表面には実物の商品と同様のデザインが施されている。商品サンプル４０の下端にはサンプル台３５の取付孔３６に係合する係合部４１が設けられ、取付孔３６に係合部４１を係合することにより商品サンプル４０がサンプル台３５に取付けられるようになっている。
【００２５】
また、商品サンプル室３０内には、商品サンプル室３０の背面板３２及び商品サンプル４０を照明する複数の照明装置１００が設けられている。照明装置１００は、背面板３２に複数形成された矩形の第１係止孔３３及び該第１係止孔３３の下方に形成された円形の第２係止孔３４と係合することにより背面板３２に着脱自在に取り付けられる。
【００２６】
照明装置１００は、図３に示すように、商品サンプル室３０の幅方向に延びる略長箱状のユニット本体２００と、ユニット本体２００内に配置され下面側に複数（本実施の形態では４つ）のＬＥＤ３０１が実装された照明基板３００とを備えている。照明基板３００からは複数のケーブル３０５が引き出されている。ケーブル３０５の端部には、隣接する他の照明装置１００、終端装置（図示省略）或いは制御装置（図示省略）接続するためのコネクタ（図示省略）が接続している。
【００２７】
ユニット本体２００は横長に形成された中空状の透明部材からなり、サンプル台３５の内側に照明基板３００を配置可能な大きさに形成されている。ユニット本体２００は、図３に示すように、上下に分割された上側ユニット本体２１０と下側ユニット本体２５０とを組み合わせてなる。上側ユニット本体２１０の左右及び中央には、下側ユニット本体２５０と係合するための嵌合部２１１が形成されている。一方、下側ユニット本体２５０の左右及び中央には前記嵌合部２１１と係合する突出部２５１が形成されている。
【００２８】
また、上側ユニット本体２１０の内側には、強度維持且つ照明基板３００を押さえるための板状のリブ（図示省略）が前後に亘って立設している。一方、下側ユニット本体２５０の内側には、強度維持且つ照明基板３００を支持するための板状のリブ２５２が前後に亘って立設している。下側ユニット本体２５０のリブ２５２の形成位置は各ＬＥＤ３０１と所定の距離をおくことが好ましい。好ましくは、リブ２５２をＬＥＤ３０１の照射角度の範囲外に設ける。これにより、光の乱反射により背面板３２に影のようなものが生じることを防止できる。
【００２９】
また、下側ユニット本体２５０の左右後部には、ケーブル３０５を外部に引き出すための溝２５３が各ケーブル３０５に対応して形成されている。本実施の形態では、照明基板３００の左右端部からそれぞれ一対のケーブル２０５が引き出されているので、下側ユニット本体２５０の左右後部には、それぞれ２つの溝２５３が形成されている。各溝２５３の幅はそれぞれ共通であってもよいし、ケーブル２０５の引き出し方向に応じて幅を変えるようにしてもよい。例えば、一対のケーブル２０５をユニット本体２００の左右側方に向かって引き出す場合には、ユニット本体２００の中央側の溝２５３ａの外側の溝２５３ｂよりも広く形成することが考えられる。溝２５３はケーブル２０５止めの機能も果たすことになるが、前述の場合には中央側の溝２５３の中央側の縁はケーブル２０５止めの機能には影響が少ない。そこで中央側の溝２５３ａを中央側に広げることにより、該溝２５３ａを通気口としての機能を持たせることができる。すなわちＬＥＤ３０１から発生する熱を効率的に外部に放出することができる。
【００３０】
上側ユニット本体２１０の上面後端側は上面前端側よりもやや高くなるように傾斜して形成されている。これにより上側ユニット本体２１０の上面に溜まった埃や上方から降下する水を効率よく下方に排出することができる。
【００３１】
上側ユニット本体２１０の左右端部後方には、コネクタカバー２２０が上側ユニット本体２１０と一体に形成されている。コネクタカバー２２０は、図４に示すように、上側ユニット本体２１０の上部から後方に延びた後に下方に屈曲し、さらに階段状に屈曲してから斜め後方に延びるよう形成されている。このようにコネクタカバー２２０を階段状に形成することにより、該コネクタカバー２００により収容されるコネクタを支持する支持部材として兼用することが可能になる。また、コネクタカバー２２０を斜め後方に向けて屈曲させることにより、ユニット本体２００の後ろ側に配設される自動販売機１０の他の構成要素（例えば冷温表示板など）の配設場所を効率的に確保することができる。
【００３２】
コネクタカバー２２０の左右中央側の側方には、前記背面板３２の第１係止孔３３と係合するための第１係止片２３０が形成されている。第１係止片２３０は、図３及び図５に示すように、上側ユニット本体２１０から後方に延びる支持板２３１と、支持板２３１の後端から下方に延びる係止板２３２と、支持板２３１の後端から上方に延びる当接板２３３とを備えている。係止板２３２は、背面板３２の第１係止孔３３を通過して該第１係止孔３３の下方において背面板３２の裏面側に当接する。当接板２３３は、背面板３２の第１係止孔３３よりも横幅がやや広く、背面板３２の表側であって第１係止孔３３の周辺部に当接する。このように、当接板２３３を第１係止孔３３よりもやや広くすることにより、ユニット本体２００と背面板３２との間の係合をより強固にすることができる。支持板２３１の左右及び中央の上側には強度維持用のリブ２３４が形成されている。複数のリブ２３４のうちコネクタカバー２２０に隣接するリブ２３４ａは、コネクタカバー２２０により形成される後方空間の側方を覆うように、他のリブ２３４ｂよりも大きく形成されている。これにより、該リブ２３４ａはコネクタカバー２２０に収容されるコネクタを位置決めする位置決め部材として兼用することができる。なお、上述した上側ユニット本体２１０の各部は一体に形成されている点に留意されたい。
【００３３】
下側ユニット本体２５０の左右端部後方には、図３に示すように、コネクタ又はコネクタに接続されたケーブル３０５を支持する第１コネクタ支持板２６０が形成されている。第１コネクタ支持板２６０は、下側ユニット本体２５０の下部から後方に延びた後に、先端部が上方に屈曲している。
【００３４】
第１コネクタ支持板２６０の左右中央側の側方には、第１コネクタ支持板２６０と距離をおいて第２コネクタ支持板２７０が形成されている。第２コネクタ支持板２７０は、図３及び図６に示すように、下側ユニット本体２５０の下部から第１コネクタ支持板２６０よりも後方に延びた後に、先端部が上方に屈曲している。第１コネクタ支持板２６０と第２コネクタ支持板２７０の間隔は、両者の間隙からコネクタを出し入れできる程度に設定されている。
【００３５】
第２コネクタ支持板２７０の左右中央側の側方には、前記背面板３２の前面と当接する第２係止片２８０が形成されている。第２係止片２８０は、図６に示すように、下側ユニット本体２５０から後方に延びた後に、上方に延びるように屈曲し、さらに下方に延びるように屈曲している。すなわち第２係止片２８０は、断面略逆Ｕ字状となっており、これにより弾性変形しやすく、ユニット本体２００の取り付け性が大幅に向上する。第２係止片２８０の後面は背面板３２の前面であって第１係止孔３３の下方に当接する。第２係止片２８０の下端は、第１係止片の下端よりも下方に位置する。第２係止片２８０の後面先端部には、背面板３２の第２係止孔３４と係合する係合突起２８１が形成されている。係合突起２８１の上側の基部は第２係止孔３４の縁部と係合するよう背面板３２の厚みよりやや大きく削られている。これにより、係合突起２８１と第２係止孔３４との嵌合性が向上し、ユニット本体２００の背面板３２からの抜け防止を確実に抑制することができる。また、第２係止片２８０と第２コネクタ支持板２７０は下側ユニット本体２５０との接合部付近において一体に形成されている。
【００３６】
下側ユニット本体２５０の底面後部には、ＬＥＤ３０１からの光を散乱させる帯状の散乱部２９０が幅方向に形成されている。該散乱部２９０は所定の表面粗さとなるように底面を加工してなる。なお、上述した下側ユニット本体２５０の各部は一体に形成されている点に留意されたい。
【００３７】
本実施の形態に係る照明装置１００を背面板３２に取り付けるには、図７に示すように、第１係止片２３０の後部を背面板３２の第１係止孔３３に挿入し、第２係止片２８０の後面を背面板３２の前面に当接させながら下方に移動させ、第２係止片２８０の係合突起２８１を第２係止孔３４に係合させればよい。また、外部に引き出したケーブル３０５及びコネクタは、コネクタカバー２２０、第１コネクタ支持板２６０及び第２コネクタ支持板２７０により囲まれた空間に収容すればよい。なお、該コネクタの収容作業は、第１コネクタ支持板２６０及び第２コネクタ支持板２７０の間隙から容易に行うことができる。
【００３８】
以上詳述したように本実施の形態に係る照明装置１００によれば、背面板３２に取り付けるための第１係止片２３０及び第２係止片２８０をユニット本体２００と一体に形成したので、自動販売機の製造時における組み付け工数を大きく削減できるととともに部品コストを削減することができる。また、本実施の形態に係る照明装置１００によれば、第１係止片２３０及び第２係止片２８０をユニット本体２００と一体に形成したので、従来のものと比較して係合箇所が少なくなるので耐衝撃性が向上する。
【００３９】
さらに、本実施の形態に係る照明装置１００によれば、コネクタカバー２２０により防滴性を確保できるので、コネクタをユニット本体２００の外部に配置することができる。また、本実施の形態に係る照明装置１００によれば、コネクタをユニット本体２００の外部に配置することができるので、ケーブル３０５として耐熱性能が比較的低いが安価で取り回しの容易な径の細いものを用いることができる。さらに、本実施の形態に係る照明装置１００によれば、下側ユニット本体２５０の底面後部に形成した散乱部２９０により背面板３２方向に向かう光を散乱させているので、背面板３２に影のようなものが発生することを軽減できる。
【００４０】
以上本発明の一実施の形態について詳述したが、本発明はこれに限定されるものではない。例えば、上記実施の形態では照明装置１００を商品サンプル室３０に配置する場合について説明したが、例えば広告表示室５０など他の照明対象室にも同様に配置することができる。
【符号の説明】
【００４１】
１０…自動販売機本体、３０…商品サンプル室、３２…背面板、３３…第１係止孔、３４…第２係止孔、１００…照明装置、２００…ユニット本体、２１０…上側ユニット本体、２２０…コネクタカバー、２３０…第１係止片、２５０…下側ユニット本体、２６０…第１コネクタ支持板、２７０…第２コネクタ支持板、２８０…第２係止片、２８１…係合突起、３００…照明基板、３０１…ＬＥＤ、３０５…ケーブル。
【図１】
2015022576.tif 000003
【図２】
2015022576.tif 000004
【図３】
2015022576.tif 000005
【図４】
2015022576.tif 000006
【図５】
2015022576.tif 000007
【図６】
2015022576.tif 000008
【図７】
2015022576.tif 000009